(57)【要約】【目的】左右両主桁間の間隔寸法の拡大化及び床板の重量化に対応できるようにした橋梁用支保工を提供する。【解決手段】橋梁の床板２をコンクリート打設するにあたり、床板型枠３を支持する左右両側のＩ形主桁１，１間に介装される支保工であって、長さ調節可能な梁材１０の両端部に、その一つが長さ調整可能な２つの斜材１２，１３の夫々一端部を接合し、両斜材１２，１３の他端部同士を接合することによって、逆三角形のトラス９を形成し、この逆三角形トラス９の複数個を、長さ微調整可能な連結具１５を介して各トラス９の梁材１０の端部同士で連結することによって、一連のトラス梁１７を形成し、このトラス梁１７の両端部を左右両主桁１，１の夫々上部に枢着する。【選択図】　　　　図１
2004060313.tif 000002
【特許請求の範囲】
【請求項１】
橋梁の床板をコンクリート打設する際に、床板型枠を支持する左右両側のＩ形主桁間に介装される支保工であって、
長さ調節可能な梁材の両端部に、少なくとも一つが長さ調整可能な２つの斜材の夫々一端部を接合し、両斜材の他端部同士を接合することによって、逆三角形のトラスを形成し、この逆三角形トラスの複数個を、長さ微調整可能な連結具を介して各トラスの梁材の端部同士で連結することによって、一連のトラス梁を形成し、このトラス梁の両端部を左右両主桁の夫々上部に枢着してなる橋梁用支保工。
【請求項２】
前記連結具は、隣合うトラス同士の対向する梁材の一方の梁材端部に固定された固定ナットと、他方の梁材端部から挿通されて前記ナットに螺入される連結用ボルトと、からなる請求項１に記載の橋梁用支保工。
【請求項３】
前記Ｉ形主桁の上フランジ上面に固着した取付金具より吊りボルトを垂下し、この吊りボルトを前記トラス梁の各端部に設けた縦貫通孔に通して、吊りボルト下端部に螺合した受ナットを介してトラス梁の各端部を支持するようにしてなる請求項１又は２に記載の橋梁用支保工。
【請求項４】
前記トラス梁の各端部を、引張金具を介して各主桁のウェブ上端部に枢支連結してなる請求項３に記載の橋梁用支保工。
【請求項５】
前記Ｉ形主桁のウェブ上端部に受金具を上下方向取付位置調整可能にボルト止めし、この受金具に固定されたナットに螺合されて上下移動可能な受ボルトを備え、この受ボルトで前記トラス梁の端部下面側を支持すると共に、受金具に設けた縦長孔とトラス梁端部に設けた横貫通孔とに挿通したボルトによって当該トラス梁の横方向移動を規制してなる請求項１又は２に記載の橋梁用支保工。
【請求項６】
前記トラス梁の端部上面には、ボルト上端部をＩ形主桁の上フランジ下面に押し当てる当てボルトを突設してなる請求項３又は５に記載の橋梁用支保工。
【請求項７】
各トラスの梁材は、角筒状の外筒部材と、この外筒部材内に摺動可能に嵌挿されて外筒部材に対し伸縮する内筒部材とからなり、所要長さ位置で両部材をピンで固定するようになっている請求項１〜６の何れかに記載の橋梁用支保工。
【発明の詳細な説明】
【０００１】
【発明の属する技術分野】
本発明は、鉄骨橋梁の床板を現場でコンクリート打設する際に使用する橋梁用支保工に関するもので、特に、床板型枠を支持する左右両側のＩ形主桁間に介装される支保工に関する。
【０００２】
【従来の技術】
近年、鉄骨橋梁の構造設計においては、Ｉ形主桁の断面を増大させ、主桁数を減らす傾向にあり、その結果主桁の間隔及び主桁よりの張り出し寸法が大きくなり、また床板のコンクリート厚さも従来の橋梁に比べて厚くなっている。
【０００３】
図７は、従来より使用されている橋梁床板の支保工を示す。この図において、１はＩ形の主桁で、左右両側に配設されて、橋梁床板２の型枠３を全体的に支持するようになっている。４は、両主桁１，１間の床板打設用保梁で、主桁１，１の夫々内側に設置されたパイプサポート５，５の上端部間に架け渡されている。６は、主桁１より張り出している床板型枠３の張り出し部３ａの下側に配置された横腕材で、この横腕材６の一端部は、Ｉ形主桁１の上フランジ１ｂの先端部に取り付けられ、横腕材６の他端部側は、下端部が主桁１のウェブ１ａ下端部と下フランジ１ｃとの隅部に枢着されたサポート７により支持され、このサポート７は、主桁１のウェブ１ａ上端部に取り付けられたチェーン８によって支持されている。
【０００４】
【発明が解決しようとする課題】
この従来の橋梁床板用支保工では、上述したようにコンクリート厚さが厚く、主桁１，１間の間隔寸法が大きい床板をコンクリート打設する場合に、寸法的に対応できない状況が発生し、また寸法的に対応できたとしても、強度不足のために架設間隔を狭めなければならず、それによって大量の機材が必要となり、施工費の高騰を来すことになる。また、コンクリートを打設する際に、型枠３の張り出し部３ａ，３ａにかかる荷重により、両主桁１，１を夫々外側へ倒そうとする水平張力が発生して、各主桁１のウェブ１ａが変形を生じるおそれがあった。
【０００５】
本発明は、上記の課題に鑑み、左右両主桁間の間隔寸法の拡大化及び床板の重量化に対応できるようにすると共に、主桁のウェブが変形しないようする橋梁用支保工を提供することを目的とする。
【０００６】
【課題を解決するための手段】
請求項１に係る発明は、橋梁の床板２をコンクリート打設する際に、床板型枠３を支持する左右両側のＩ形主桁１，１間に介装される支保工であって、長さ調節可能な梁材１０の両端部に、少なくとも一つが長さ調整可能な２つの斜材１２，１３の夫々一端部を接合し、両斜材１２，１３の他端部同士を接合することによって、逆三角形のトラス９を形成し、この逆三角形トラス９の複数個を、長さ微調整可能な連結具１５を介して各トラス９の梁材１０の端部同士で連結することによって、一連のトラス梁１７を形成し、このトラス梁１７の両端部を左右両主桁１，１の夫々上部に枢着してなることを特徴とする。
【０００７】
請求項２は、請求項１に記載の橋梁用支保工において、前記連結具１５は、隣合うトラス９，９同士の対向する梁材１０，１０の一方の梁材端部に固定された固定ナット４１と、他方の梁材端部から挿通されて前記ナット４１に螺入される連結用ボルト４２と、からなることを特徴とする。
【０００８】
請求項３は、請求項１又は２に記載の橋梁用支保工において、前記Ｉ形主桁１の上フランジ１ｂ上面に固着した取付金具３５より吊りボルト３６を垂下し、この吊りボルト３６を前記トラス梁１７の各端部に設けた縦貫通孔に通して、吊りボルト３６下端部に螺合した受ナット３７を介してトラス梁１７の各端部を支持するようにしてなることを特徴とする。
【０００９】
請求項４は、請求項３に記載の橋梁用支保工において、前記トラス梁１７の各端部を、引張金具３８を介して各主桁１のウェブ１ａ上端部に枢支連結してなることを特徴とする。
【００１０】
請求項５は、請求項１又は２に記載の橋梁用支保工において、前記Ｉ形主桁１のウェブ１ａ上端部に受金具２１を上下方向取付位置調整可能にボルト止めし、この受金具２１に固定されたナット３３に螺合されて上下移動可能な受ボルト２４を備え、この受ボルト２４で前記トラス梁１７の端部下面側を支持すると共に、受金具２１に設けた縦長孔２５とトラス梁１７端部に設けた横貫通孔とに挿通したボルト２６によって当該トラス梁１７の横方向移動を規制してなることを特徴とする。
【００１１】
請求項６は、請求項３又は５に記載の橋梁用支保工において、前記トラス梁１７の端部上面には、ボルト上端部をＩ形主桁１の上フランジ１ｂ下面に押し当てる当てボルト３３を突設してなることを特徴とする。
【００１２】
請求項７は、請求項１〜６の何れかに記載の橋梁用支保工において、各トラス９の梁材１０は、角筒状の外筒部材１０ａと、この外筒部材１０ａ内に摺動可能に嵌挿されて外筒部材１０ａに対し伸縮する内筒部材１０ｂとからなり、所要長さ位置で両部材１０ａ，１０ｂをピン１１で固定するようになっていることを特徴とする。
【００１３】
【発明の実施の形態】
図１は本発明の橋梁用支保工Ｓ１の全体を示す正面図、図２は同支保工の中央部拡大正面図、図３は同支保工の端部拡大正面図である。これらの図において、９はトラス梁１７を形成する逆三角形のトラスで、長さ調節可能な梁材１０の両端部に、その一つが長さ調整可能な２つの斜材１２，１３の夫々一端部を結合すると共に、両斜材１２，１３の他端部同士を結合することによって形成される。しかして、このような逆三角形トラス９の複数個、ここでは２個を、無段階に長さ調整可能な連結具１５を介して各逆三角形トラス９の梁材１０の端部どうしを連結することによって、一連のトラス梁１７を形成し、このトラス梁１７の左右両端部を、左右両側に対向配置された主桁１，１の夫々上部に枢着したものが、図１に示すような本発明に係る支保工Ｓ１である。
【００１４】
図１に示すように、左右両主桁１，１上には橋梁床板２の型枠３が載設され、各主桁１より外側へ張り出している型枠３の張り出し部３ａは、詳細な説明は省略するが、図１に仮想線で一部示す型枠張り出し部用の支保工Ｓ２によって支持されるようになっている。６は、型枠張り出し部用支保工Ｓ２の一部を構成する横腕材で、型枠張り出し部３ａの下側に配置されている。
【００１５】
本発明に係る支保工Ｓ１の構造について更に詳細に説明すると、先ず、各逆三角形トラス９の梁材１０は、角筒状の外筒部材１０ａと、この外筒部材１０ａ内に摺動可能に嵌挿されて、外筒部材１０ａに対し伸縮する内筒部材１０ｂとからなり、所要長さ位置で両部材１０ａ，１０ｂの重合部にピン１１（図４の（Ａ）参照）を挿着することにより、両部材１０ａ，１０ｂを固定して、概略長さに調節することができる。そして、外筒部材１０ａの外端部側と内筒部材１０ｂの外端部側とに、固定長さの斜材１２及び長さ調節可能な斜材１３の夫々の一端部がピン接合されると共に、両斜材１２，１３の夫々の他端部同士がブラケット１４にピン接合されることによって、図１に示すような逆三角形のトラス９が形成される。この逆三角形トラス９は、外筒部材１０ａの内端部とブラケット１４とをつなぐ補強杆１６によって補強されている。
【００１６】
長さ調節可能な他方の斜材１３は、主管１３ａと、これに摺動可能に嵌挿され、所要長さ位置でピン（図示省略）によって固定される副管１３ｂとからなるもので、主管１３ａの外端部は、図２に示すように、梁材１０の内筒部材１０ｂの外端部に取り付けてあるブラケット４０Ａ又は４０Ｂに、無段階に長さ微調整可能な連結具４５を介してボルト接合され、副管１３ｂの外端部は逆山形トラス９の頂部であるブラケット１４にボルト接合されている。従って、斜材１３の概略の長さ調整は、主管１３ａと副管１３ｂとを互いに摺動させてピンで固定して行ない、その微調整は連結具４５で行なう。
【００１７】
また図２に示すように、上記ブラケット４０Ａは、一方のトラス９の梁材１０を構成する内筒部材１０ｂの外端部に取り付けられたものであり、ブラケット４０Ｂは、他方のトラス９の梁材１０を構成する内筒部材１０ｂの外端部に取り付けられたものであって、これら両ブラケット４０Ａ，４０Ｂは、図示のように、夫々略Ｌ字形に形成されて、先端部に水平方向に延びる切欠溝４０ａ，４０ｂを有し、しかして両トラス９，９の梁材１０，１０の端部同士が連結具１５により連結された状態において、両切欠溝４０ａ，４０ｂの内端部同士が重合し、この重合部４０ｃに、トラス梁１７をその中央部で支える支持脚４６の上端部に突設してある支軸４７が突入されている。支持脚４６は、左右両主桁１，１の下端部をつなぐ連結材５５の中央部に載設された根太材５６上に立設されており、この支持脚４６の下端部には、高さ調整用のジャッキ５７が設けられている。
【００１８】
従って、２個のトラス９，９からなるトラス梁１７は、その中央連結部分において、両ブラケット４０Ａ，４０Ｂの切欠溝４０ａ，４０ｂの重合部４０ｃに突入した支軸４７によって所定高さ位置に支持された状態で、両トラス９，９を連結する連結具１５によって、その連結部分の長さの微調整が可能となる。
【００１９】
トラス梁１７を構成する２個のトラス９，９を無段階に長さ微調整可能に連結する上記連結具１５は、図２に示すように、両トラス９，９間において互いに対向する梁材１０，１０の内筒部材１０ｂ，１０ｂの一方の内筒部材１０ｂの端部に固定された固定ナット４１と、他方の内筒部材１０ｂの端部から挿通されて前記ナット４１に螺入される連結用ボルト４２と、このボルト４２の中間部に固着された回転操作用ナット４４とからなるもので、固定ナット４１は、一方の内筒部材１０ｂの端部に取り付けられた取付枠片４３Ｂに溶接により固着されており、連結用ボルト４２は、他方の内筒部材１０ｂ端部に取り付けられた取付枠片４３Ａのボルト挿通孔４３ａにその内側から挿通され、固定ナット４１に螺入される。従って、連結用ボルト４２を回転させることにより、両トラス９，９の連結部分の長さを無段階に微調整することができる。
【００２０】
また、斜材１３を無段階に長さ微調整可能に連結する連結具４５は、図２に示すように、斜材１３の主管１３ａの外端部に溶接によって固着されたナット固定５１と、ブラケット４０Ａ，４０Ｂにボルト４９止めしてある取付片４８側から挿通された前記ナット５１に螺入される連結用ボルト５２と、このボルト５２の中間部に固着された回転操作用ナット５４とからなるもので、連結用ボルト５２を回転させることによって、斜材１３の長さを微調整することができる。
【００２１】
図４の（Ａ）は各逆三角形トラス９の梁材１０を構成する外筒部材１０ａの横断面図であり、（Ｂ）は内筒部材１０ｂの横断面図である。外筒部材１０ａは、アルミニウム合金の押し出し型材からなるもので、図示のような縦長矩形状の断面を有し、両側面に全長に亘って凹条部１８，１８を形成すると共に、下端面の両側端部に突条片１９，１９を全長に亘って形成している。内筒部材１０ｂも、同じくアルミニウム合金の押し出し型材からなるもので、図示のような縦長矩形の断面を有し、両側面の夫々上部側に凹条溝２０，２０を全長に亘って形成しており、同図（Ａ）の仮想線図示のような状態で外筒部材１０ａ内に嵌挿される。また、図１に示すように外筒部材１０ａの内端部側にはピン孔ｍが短いピッチでで複数設けられ、内筒部材１０ｂには同様なピン孔ｎが長いピッチで複数設けられていて、外筒部材１０ａのピン孔ｍから内筒部材１０ｂのピン孔ｎにピン１１（図４の（Ａ）参照）を挿し込むことにより、両部材１０ａ，１０ｂを固定するようになっている。
【００２２】
図３は、トラス梁１７の端部である各トラス９の梁材１０の外端部を主桁１の上部に枢着する枢着構造の一例を示している。この枢着構造は、受金具方式からなるもので、主桁１のウェブ１ａの上端部に受金具２１を上下方向取付位置調節可能にボルト２２及びナット２７で固定し、この受金具２１に固定されたナット３３に螺合されて上下に移動可能な受ボルト２４で外筒部材１０ａの外端部下面側を支持すると共に、受金具２１に設けた縦長孔２５と外筒部材１０ａの一端部に設けた横貫通孔（図示省略）とに挿通したボルト２６及びナット２８（図５参照）によって外筒部材１０ａ一端部の横方向移動を規制するようにしている。
【００２３】
受金具２１は、図５にも示すように、取付基板２１ａの前面下部に台板２１ｂを突設すると共に、この台板２１ｂより上方の左右両側に側板２１ｃ，２１ｃを突設してなるもので、取付基板２１ａにはボルト挿通孔２９を上下に間隔をおいて複数設け、台板２１ｂ上にナット２３を溶接により固着し、左右各側板２１ｃに縦長孔２５を設けている。また、主桁１のウェブ１ａ上端部にはボルト２２を挿通させるボルト挿通孔３０（図２参照）が設けられる。
【００２４】
上記受金具２１の取付にあたっては、取付基板２１ａの所要のボルト挿通孔２９から主桁１のウェブ１ａ上端部のボルト挿通孔３０にボルト２２を通してナット２７で締め付けることにより、この受金具２１を主桁１のウェブ１ａ上端所要位置に取り付け固定する。こうして取り付けた受金具２１の左右両側板２１ｃ，２１ｃ間に梁材１０の外筒部材１０ａの外端部を挿入し、図４の仮想線図示のように、側板２１ｃの縦長孔２５から外筒部材１０ａのボルト挿通孔にボルト２６を挿通してナット２８で抜け止めし、台板２１ｂ上に固定されたナット２３に、その下方より受ボルト２４を螺入して、この受ボルト２４の先端部で外筒部材１０ａの外端部下面を支持する。この状態で受ボルト２４を回転させることによって、外筒部材１０ａの外端部の垂直方向の高さを調整することができる。
【００２５】
また図３に示すように、受金具２１の取付時に主桁１のウェブ１ａと接触する取付基板２１ａの背面には、主桁１の塗装面を保護する目的で、ネオプレンゴム等のシート材３１が貼着されている。また、受ボルト２４の上端部が当たる外筒部材１０ａの外端部下面には当て板３２が取り付けてある。また、外筒部材１０ａの外端部上面には、主桁１の上フランジ１ｂ下面に押し当てる当てボルト３３が突設されている。この当てボルト３３は、支保工全体の微調整が完了した段階で、当該当てボルト３３の上端部を主桁１の上フランジ１ｂ下面に押し当てることによって、支保工の全体形態を安定した状態に保持できるようにするためのものである。当てボルト３３の上端部には、上フランジ１ｂの下面に吸着するような形状の吸着カップ３４が取り付けてある。
【００２６】
図６は、トラス梁１７の端部を主桁１の上部に枢着する枢着構造の他の例を示す。この枢着構造は、吊りボルト方式からなるもので、主桁１の上フランジ１ｂ上面に溶接によって固着した取付金具３５より吊りボルト３６を垂下し、この吊りボルト３６を外筒部材１０ａの外端部に設けた縦貫通孔（図示省略）に貫通させて、この吊りボルト３６の下端部に螺合した受ナット３７を介して外筒部材１０ａの外端部を支持するようにしている。
【００２７】
この吊りボルト方式の場合、吊りボルト３６には水平力が作用することから、外筒部材１０ａの外端部を、引張金具３８を介して主桁１のウェブ１ａ上端部に枢支連結し、吊りボルト３６にかかる水平力に対処できるようにしている。この引張金具３８の一端部は外筒部材１０ａにボルト止めされ、その他端部は主桁１のウェブ１ａと上フランジ１ｂとのコーナー部に固着された取付板３９にボルト止めされている。また、外筒部材１０ａの一端部上面には、図３に示す受金具方式の場合と同様、主桁１の上フランジ１ｂ下面に押し当てる当てボルト３３が突設されている。
【００２８】
以上説明したように、本発明の支保工Ｓ１は、逆三角形トラス９の複数個、例えば２個を、長さ微調整可能な連結具１５を介して各トラス９の梁材１０の端部同士で連結することにより一連のトラス梁１７を形成し、このトラス梁１７の両端部を左右両主桁１，１の夫々上部に枢着してなるものであるから、図１に示すように、左右両主桁１，１上に橋梁床板の型枠３を載設してコンクリートを打設する際に、左右両主桁１，１より夫々外側へ張り出した型枠３の張り出し部３ａ，３ａにかかる荷重により、両主桁１，１を夫々外側へ倒そうとする水平張力が発生して、各主桁１のウェブ１ａが外側へ反り変形を生じるような場合は、トラス９の梁材１０の端部同士を連結している連結具１５を予め緊締して、この連結具１５により左右両主桁１，１を互いに引張させるようにしておくことにより、型枠張り出し部３ａ，３ａ側にかかる荷重によって生じる外向きの水平張力と、連結具１５による内向きの水平張力とが打ち消し合って、主桁１のウェブ１ａの変形を防止することができる。
【００２９】
また、このトラス梁１７の各トラス９は、長さ調節可能な梁材１０の両端部に、その一つが長さ調整可能な２つの斜材１２，１３の夫々一端部を接合し、両斜材１２，１３の他端部同士を接合することによって形成されるものであるから、主桁１，１間の間隔寸法が大きくなっても、それに対応することが可能となり、また主桁１，１間の間隔寸法の拡大に伴う負担荷重の増大にも十分対応可能な強度を有する支保工となる。
【００３０】
この場合、トラス９を構成する梁材１０を、角筒状の外筒部材１０ａとこれに嵌合する角筒状の内筒部材１０ｂとによって長さ調整可能に構成しているため、横腕材１０を簡単にして且つコンパクトで強度的に安定した構造とすることができる。
【００３１】
また、トラス９を構成する梁材１０の一端部である外筒部材１０ａの外端部を主桁１の上部に枢着する枢着構造としては、図３に示すような受金具方式と、図６に示すような吊りボルト方式が用意されているが、受金具方式によれば、構造が多少複雑になるが、外筒部材１０ａの外端部をガタつかせることなく、所要角度位置に的確に枢着することができ、また吊りボルト方式によれば、構造が簡単となって、取付作業が容易となる。
【００３２】
また、梁材１０を構成する外筒部材１０ａの外端部上面には当てボルト３３が突設されているから、支保工全体の微調整が完了した段階でこのボルト３３の上端部を、図３及び図６に示すように主桁１の上フランジ１ｂ下面に押し当てることにより、支保工全体の形態を安定した状態に保持することができる。
【００３３】
この実施形態では、逆三角形トラス９を、長さ調節可能な梁材１０と、固定長さの斜材１２及び長さ調節可能な斜材１３の２つの斜材１２，１３とによって構成しているが、２つの斜材１２，１３を共に長さ調節可能に構成してもよく、そうすることによりトラス９の三角形の３辺を何れも伸張させることができて、逆三角形トラス９を相似状に安定良く拡大させることができる。
【００３４】
【発明の効果】
請求項１に係る発明の支保工によれば、左右両主桁上に橋梁床板の型枠を載設してコンクリートを打設する際に、両主桁より夫々外側へ張り出した型枠の張り出し部にかかる荷重により、両主桁を夫々外側へ倒そうとする水平張力が発生して、各主桁のウェブが変形を生じるような場合は、トラスの梁材の端部同士を連結している連結具を予め緊締して、この連結具により両主桁を互いに引張させるようにしておくことにより、型枠張り出し部側にかかる荷重によって生じる外向きの水平張力と、連結具による内向きの水平張力とが打ち消し合って、主桁のウェブの変形を防止することができる。
【００３５】
また、トラス梁の各トラスは、長さ調節可能な梁材の両端部に、少なくとも一つが長さ調整可能な２つの斜材の夫々一端部を接合し、両斜材の他端部同士を接合することによって形成されるものであるから、主桁間の間隔寸法が大きくなっても、それに対応することが可能となり、また主桁間の間隔寸法の拡大に伴う負担荷重の増大にも十分対応可能な強度を有する支保工となる。
【００３６】
請求項２に記載のように、連結具は、隣合うトラス同士の対向する梁材の一方の梁材端部に固定された固定ナットと、他方の梁材端部から挿通されて前記ナットに螺入される連結用ボルトとからなるもので、構造が極めて簡単であるから、コストも安くつき、取扱いも簡単容易となる。
【００３７】
請求項３に記載のように、Ｉ形主桁の上フランジ上面に固着した取付金具より吊りボルトを垂下し、この吊りボルトを前記トラス梁の各端部に設けた縦貫通孔に通して、吊りボルト下端部に螺合した受ナットを介してトラス梁の各端部を支持するようにした吊りボルト方式を採用すれば、主桁の上部に対する横腕材一端部の枢着構造が簡単となり、その取付作業が容易となる。
【００３８】
請求項４に記載のように、トラス梁の各端部を、引張金具を介して各主桁のウェブ上端部に枢支連結することにより、吊りボルトに作用する水平力に十分対処することができる。
【００３９】
請求項５に記載のように、主桁の上部に対するトラスの端部の枢着構造として受金具方式を採用すれば、横腕材の端部をガタつかせることなく、所要角度位置に的確に枢着することができる。
【００４０】
請求項６に記載のように、横腕材の一端部上面に当てボルトを突設することにより、支保工全体の微調整が完了した段階で、このボルトの上端部を主桁の上フランジ下面に押し当てることにより、支保工全体の形態を安定した状態に保持することができる。
【００４１】
請求項７に記載のように、トラスを構成する梁材を、角筒状の外筒部材と、この外筒部材内に摺動可能に嵌挿されて外筒部材に対し伸縮する内筒部材とから構成し、所要長さ位置で両部材をピンで固定するようにしているから、梁材を簡単且つコンパクトで強度的に安定した構造にすることができる共に、取扱いも簡単容易となる。
【図面の簡単な説明】
【図１】本発明に係る支保工の全体を示す側面図である。
【図２】同支保工の中央部拡大図である。
【図３】同支保工の端部拡大図である。
【図４】（Ａ）はトラスの梁材を構成する外筒部材の横断面図、（Ｂ）は内筒部材の横断面図である。
【図５】図３に示す受金具の拡大正面図である。
【図６】トラスの梁材を構成する外筒部材の外端部を主桁上部に枢着する吊りボルト方式の枢着構造を示す側面図である。
【図７】従来の橋梁床板用支保工を示す概略側面図である。
【符号の説明】
１　　　　　Ｉ形主桁
１ａ　　　　主桁のウェブ
１ｂ　　　　主桁の上フランジ
１ｃ　　　　主桁の下フランジ
２　　　　　コンクリート床板
３　　　　　床板型枠
３ａ　　　　床板型枠の張り出し部
Ｓ１　　　　本発明に係る支保工
９　　　　　逆三角形トラス
１０　　　　トラスの梁材
１０ａ　　　梁材の外筒部材
１０ｂ　　　梁材の内筒部材
１２　　　　固定長さの斜材
１３　　　　長さ調節可能な斜材
１５　　　　連結具
１７　　　　トラス梁
２１　　　　受金具
２３　　　　固定ナット
２４　　　　受ボルト
３３　　　　当てボルト
３６　　　　吊りボルト
【図１】
2004060313.tif 000003
【図２】
2004060313.tif 000004
【図３】
2004060313.tif 000005
【図４】
2004060313.tif 000006
【図５】
2004060313.tif 000007
【図６】
2004060313.tif 000008
【図７】
2004060313.tif 000009